(57)【要約】  セル・サーチを実行するように構成されたスペクトル拡散受信機は、セル・サーチ・システム（１２０）と、サーチャ（１２５）とを含む。セル・サーチ・システム（１２０）は、プライマリ同期およびセカンダリ同期を実行し、それによって、スクランブル符号グループを同定するように構成される。サーチャ（１２５）は、セル・サーチ・システムによって同定されたスクランブル符号グループからスクランブル符号を決定するように構成される。
2008527913.tif 000002
【特許請求の範囲】
【請求項１】
関連するスクランブル符号グループを同定するために、受信無線信号に対してプライマリおよびセカンダリ同期を実行するセル・サーチ・システムと、
前記スクランブル符号グループ内のスクランブル符号をさらに同定する際に使用するサーチャと、
を備える、受信機。
【請求項２】
前記セル・サーチ・システムが、前記セカンダリ同期を実行した後で、非活動化される、請求項１に記載の受信機。
【請求項３】
前記サーチャが、前記セル・サーチ・システムによって前記セカンダリ同期が実行された後で、活動化される、請求項１に記載の受信機。
【請求項４】
前記スクランブル符号を同定する前記サーチャによって使用するために、前記関連するスクランブル符号グループのうちの少なくとも１つのスクランブル符号を動的に生成するスクランブル符号生成器をさらに備える、請求項１に記載の受信機。
【請求項５】
前記関連するスクランブル符号グループのうちの少なくとも１つの事前生成スクランブル符号を保存するメモリをさらに備える、請求項１に記載の受信機。
【請求項６】
前記サーチャが、前記スクランブル符号を同定するために、前記メモリから前記関連するスクランブル符号グループのうちの前記少なくとも１つのスクランブル符号を読み取る、請求項５に記載の受信機。
【請求項７】
前記サーチャが、前記関連するスクランブル符号グループのうちの各スクランブル符号を、受信共通パイロット・チャネル（ＣＰＩＣＨ）信号と相関させ、最大相関ピークを有する前記スクランブル符号を同定する、請求項１に記載の受信機。
【請求項８】
前記サーチャが、前記関連するスクランブル符号グループのうちの各スクランブル符号の異なるオフセットを相関させる、請求項７に記載の受信機。
【請求項９】
スペクトル拡散受信機が、符号分割多元接続（ＣＤＭＡ）受信機である、請求項１に記載の受信機。
【請求項１０】
受信機内で使用する方法であって、
受信無線信号の関連するスクランブル符号グループを同定するために、セル・サーチ・システムを使用して、プライマリ同期およびセカンダリ同期を実行するステップと、
サーチャを使用して、前記関連するスクランブル符号グループからスクランブル符号を同定するステップと、
を含む、前記方法。
【請求項１１】
前記実行するステップの後で、前記セル・サーチ・システムを非活動化するステップをさらに含む、請求項１０に記載の方法。
【請求項１２】
前記同定するステップの前に、前記サーチャを活動化するステップをさらに含む、請求項１０に記載の方法。
【請求項１３】
前記同定するステップが、
前記関連するスクランブル符号グループのうちの各スクランブル符号を、受信共通パイロット・チャネル（ＣＰＩＣＨ）信号と相関させるステップと、
最大相関ピークを有する前記スクランブル符号を同定するステップと、
を含む、請求項１０に記載の方法。
【請求項１４】
前記相関させるステップが、前記関連するスクランブル符号グループのうちの各スクランブル符号の異なるオフセットを相関させるステップをさらに含む、請求項１３に記載の方法。
【請求項１５】
前記関連するスクランブル符号グループのうちの少なくとも１つのスクランブル符号をメモリ内に保存するステップと、
必要に応じて、前記相関させるステップを実行するために、前記メモリから前記関連するスクランブル符号グループのうちの前記少なくとも１つのスクランブル符号を読み取るステップと、
をさらに含む、請求項１３に記載の方法。
【請求項１６】
前記相関させるステップで使用するために、少なくとも１つのスクランブル符号を動的に生成するステップをさらに含む、請求項１３に記載の方法。
【請求項１７】
前記受信機が、符号分割多元接続（ＣＤＭＡ）受信機である、請求項１０に記載の方法。
【請求項１８】
プロセッサと、
サーチャと、
を備え、
前記プロセッサが、（ａ）受信無線信号をスクランブルするのに使用されるスクランブル符号を決定するために前記受信無線信号を処理し、（ｂ）前記受信無線信号のマルチパスを決定するように前記サーチャを制御する、受信機。
【請求項１９】
前記受信無線信号に対してプライマリ同期およびセカンダリ同期を実行するために、前記受信無線信号を処理するセル・サーチ・システムをさらに備える、請求項１８に記載の受信機。
【発明の詳細な説明】
【技術分野】
【０００１】
本発明は一般に、スペクトル拡散および符号分割多元接続（ＣＤＭＡ）無線ネットワークと共に使用する受信機構成に関する。
【背景技術】
【０００２】
ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、国際電気通信連合（ＩＴＵ）によって定められた、第３世代（３Ｇ）無線ネットワーク用の規格である。ＵＭＴＳは、スロットからなる通信スキームを定義し、１５のスロットがフレームを形成する。各スロットは、データの中でも特に、ＵＭＴＳ準拠ネットワークのノード間の通信を同期させるのに使用される同期情報を指定する。
【０００３】
ユニバーサル移動体通信システム（ＵＭＴＳ）ネットワーク内の受信機、例えば、符号分割多元接続（ＣＤＭＡ）移動受信機によって実行される重要な手順は、セル・サーチ動作である。セル・サーチは一般に、受信機の一部として組み込まれるセル・サーチ・システムによって実行される。セル・サーチ・システムは、受信機が所在するセルに関する同期情報を決定するために、受信機が電源オンにされた後に活動化される。セル・サーチ動作は、３段階の処理である。すなわち、セル・サーチ・システムは、スロット同期（プライマリ同期）と、フレーム同期およびスクランブル符号グループ決定（セカンダリ同期）と、スクランブル符号決定とを実行する。
【０００４】
セル・サーチを実行する際、セル・サーチ・システムは、受信無線信号の同期チャネル（ＳＣＨ：Ｓｙｎｃｈｒｏｎｉｚａｔｉｏｎ  Ｃｈａｎｎｅｌ）および共通パイロット・チャネル（ＣＰＩＣＨ：Ｃｏｍｍｏｎ  Ｐｉｌｏｔ  Ｃｈａｎｎｅｌ）にアクセスする。ＳＣＨは、プライマリＳＣＨとセカンダリＳＣＨとから形成される合成チャネルである。各スロット内で、プライマリＳＣＨは、プライマリ同期符号（ＰＳＣ：Ｐｒｉｍａｒｙ  Ｓｙｎｃｈｒｏｎｉｚａｔｉｏｎ  Ｃｏｄｅ）を指定する。しかし、プライマリＳＣＨは、２５６０チップの各スロットのうちの最初の２５６チップの間、データを含むに過ぎない。知られているように、「チップ（ｃｈｉｐ）」または「チップ・レート（ｃｈｉｐ  ｒａｔｅ）」とは、ＣＤＭＡ通信システム内における拡散符号のレートのことである。
【０００５】
受信機のセル・サーチ・システムは、セルとのスロット同期を獲得するためにプライマリＳＣＨを使用する。一般に、これは、単一の整合フィルタまたはその他の類似装置を使用して実行される。フィルタは、すべてのセルに共通であるプライマリ同期符号（ＰＳＣ）に整合させられる。セルのスロット・タイミングは、整合フィルタ出力におけるピークを検出することによって獲得される。
【０００６】
受信機のセル・サーチ・システムは、セカンダリＳＣＨを使用してフレーム同期を実行する。セカンダリＳＣＨは、各スロット内で、セカンダリ同期符号（ＳＳＣ：Ｓｅｃｏｎｄａｒｙ  Ｓｙｎｃｈｒｏｎｉｚａｔｉｏｎ  Ｃｏｄｅ）を指定する。プライマリ同期符号（ＰＳＣ）と異なり、セカンダリ同期符号（ＳＳＣ）は、１６の異なる符号の１つである。各スロットは、ＳＳＣを含んでいる。使用されるＳＳＣは、スロット毎に変化して、フレームまたは１５スロットの周期を有する系列を形成する。６４の可能なＳＳＣ系列が存在し、各系列は、６４の可能なスクランブル符号グループの１つに対応する。データの全フレームを観察することによって、受信機は、６４のＳＳＣ系列のどれが送信されているかを決定する。ＳＳＣ系列は、１フレームに等しい周期で繰り返されるので、フレーム境界が同定されることができ、ＳＳＣ系列は、受信機においてフレーム同期を達成するために使用される。送信されるＳＳＣ系列はさらに、現在のセルにおいてどのスクランブル符号グループが使用されるかを示す。
【０００７】
各スクランブル符号グループは、８つの可能なスクランブル符号を含んでいる。実際のスクランブル符号を決定するため、受信機のセル・サーチ・システムは、正しいスクランブル符号が決定されるまで、受信共通パイロット・チャネル（ＣＰＩＣＨ）信号を、同定されたスクランブル符号グループ内の８つの可能なスクランブル符号の各々と相関させる。実際のスクランブル符号が同定された後、システムおよびセル固有のブロードキャスト・チャネル（ＢＣＨ：Ｂｒｏａｄｃａｓｔ  Ｃｈａｎｎｅｌ）情報が読み取られることができるように、プライマリ共通制御チャネル（ＣＣＰＣＨ：Ｐｒｉｍａｒｙ  Ｃｏｍｍｏｎ  Ｃｏｎｔｒｏｌ  Ｃｈａｎｎｅｌ）が検出される。
【０００８】
従来のセル・サーチ・システムは一般に、受信サンプルをＣＰＩＣＨ系列に対して相関させるための整合フィルタ相関器を含んでいる。与えられたスクランブル符号グループに関する８つの相関のピークの場所を特定するために、ピーク検出ハードウェアも含まれる。スクランブル符号グループ内の８つからの特定のスクランブル符号が同定され得るよう、ピークのどれが８つのうちで最も強いかを決定するために、その他の論理回路も含まれる。
【０００９】
従来のセル・サーチ設計は、所要ハードウェア量および増加電力使用に関して高コストである。従来、セル・サーチ・システムは、特定用途向け集積回路（ＡＳＩＣ）として実装される。システムは大規模であるため、製作のためには増大されたダイ・サイズ（寸法）が必要とされる。より大規模なＡＳＩＣは、より多くのゲートを含み、より多くのゲートは、より多くの電力を消費する。これは、移動受信機内のバッテリ寿命に関して致命的であり得る。スクランブル符号決定が頻繁には実行されない点で、一般には受信機が電源オンにされるか、またはロックを失ったときにだけ実行される点で、これらの問題は悪化させられる。
【発明の開示】
【００１０】
そのため、セル・サーチ・プロセスのために受信機内で必要とされるハードウェアの量を削減し、その結果、受信機内のセル・サーチ・システムの電力消費を低減することが望ましい。
【００１１】
本発明の原理によれば、受信機のセル・サーチ・システムにおいて必要とされるハードウェア量をさらに削減することが可能であることを、発明者らは認識した。特に、セル・サーチ・システムは、プライマリ同期およびセカンダリ同期を実行し、一方、スクランブル符号の同定は、セル・サーチ・システムから受信機のサーチャに移される。従って、セル・サーチ・システム内のスクランブル符号同定に関連するハードウェアは、除去される。
【００１２】
例示的な一実施形態では、受信機は、ＣＤＭＡ受信機である。例示的には、セル・サーチ・システムは、関連するスクランブル符号グループを決定するためにセカンダリ同期を実行した後で、非活動化される。その場合、セル・サーチ・システムによってセカンダリ同期が実行された後で、サーチャが活動化される。サーチャは、関連するスクランブル符号グループのうちの各スクランブル符号を、受信共通パイロット・チャネル（ＣＰＩＣＨ）信号と相関させ、最大相関ピークを有するスクランブル符号を選択する。サーチャはさらに、関連するスクランブル符号グループのうちの各スクランブル符号の異なるオフセットを相関させることもできる。
【００１３】
本発明の特徴によれば、受信機は、関連するスクランブル符号グループのうちの少なくとも１つのスクランブル符号を動的に生成するスクランブル符号生成器を含むことができる。動的に生成されたスクランブル符号は、特定のスクランブル符号を選択するために、サーチャによって使用することができる。別の実施形態では、関連するスクランブル符号グループのうちの少なくとも１つの事前生成スクランブル符号を保存するメモリを含むことができる。その場合、サーチャは、特定のスクランブル符号を選択するために、メモリから関連するスクランブル符号グループのうちの１つまたは複数のスクランブル符号を読み取る。
【００１４】
本発明の別の態様は、ＣＤＭＡ受信機などのスペクトル拡散受信機と共に使用するセル・サーチの方法を含むことができる。その方法は、セル・サーチ・システムを使用して、プライマリ同期およびセカンダリ同期を実行し、それによって、スクランブル符号グループを同定するステップと、サーチャを使用して、関連するスクランブル符号グループからスクランブル符号を選択するステップとを含んでいる。
【００１５】
前記方法は、実行するステップの後で、セル・サーチ・システムを非活動化するステップと、選択するステップの前に、サーチャを活動化するステップとを含むことができる。スクランブル符号は、スクランブル符号グループのうちの各スクランブル符号を、受信ＣＰＩＣＨ信号と相関させ、最大相関ピークを有するスクランブル符号を選択することによって、選択される。相関を実行する際、スクランブル符号グループのうちの各スクランブル符号の異なるオフセットが、相関させられることができる。
【００１６】
例示的には、前記方法は、スクランブル符号グループのうちの少なくとも１つのスクランブル符号をメモリ内に保存するステップと、必要に応じて、相関させるステップを実行するために、メモリからスクランブル符号グループのうちの１つまたは複数のスクランブル符号を読み取るステップとを含むことができる。別の実施形態では、前記方法は、相関させるステップで使用するために、少なくとも１つのスクランブル符号を動的に生成するステップを含むことができる。
【００１７】
本発明の好ましい実施形態が、添付の図面を参照しながら、以下でより詳細に説明される。
【発明を実施するための最良の形態】
【００１８】
本発明の概念以外は、図に示される要素はよく知られており、詳細には説明しない。また、ユニバーサル移動体通信システム（ＵＭＴＳ）ベースの無線通信システムに精通していることが仮定されており、本明細書ではそれについて詳細には説明されない。例えば、本発明の概念以外は、スペクトル拡散送信および受信、セル（基地局（ｂａｓｅ  ｓｔａｔｉｏｎ））、ユーザ機器（ＵＥ：Ｕｓｅｒ  Ｅｑｕｉｐｍｅｎｔ）、ダウンリンク（下り）チャネル、アップリンク（上り）チャネル、サーチャ（ｓｅａｒｃｈｅｒ）、およびレイク（ＲＡＫＥ）受信機はよく知られており、本明細書では詳細には説明しない。加えて、本発明の概念は、従来のプログラミング技法を使用して実施することができ、そのため、本明細書ではそれについて説明しない。最後に、図内の同じ番号は、原則同様の要素を表す。
【００１９】
本発明は、受信機内でスクランブル符号を決定するためのソリューションを提供する。本明細書で開示される本発明の構成によれば、セル・サーチは、３段階の処理としてではなく、プライマリ同期とセカンダリ同期がセル・サーチ・システムによって実行される２段階の処理として実施され、スクランブル符号決定は、サーチャなど、受信機内のその他の既存ハードウェアを使用して実行される。
【００２０】
より詳細にはセカンダリＳＣＨチャネルが、セル・サーチ・ハードウェアによって獲得された後、そのセル・サーチ・ハードウェアまたはシステムは、電力保存のために非活動化される。その後、サーチャが、使用可能にされる。一般に、サーチャ・ハードウェアは、マルチパス成分を同定するために使用される。サーチャはそのような処理を実行するようにすでに構成されているので、既存サーチャ・ハードウェアも、本発明の原理によれば、スクランブル符号決定の目的で使用され得ることを、発明者らは認識した。従って、セル・サーチ・システムを実装するのに必要とされるハードウェアは、削減される。
【００２１】
図１は、本明細書で開示される本発明の構成による受信機１００の一実施形態を示す概略図である。本発明の一態様では、受信機１００は、符号分割多元接続（ＣＤＭＡ）受信機などのユニバーサル移動体通信システム（ＵＭＴＳ）受信機である。図１に示されるように、受信機１００は、受信アナログ信号をそのディジタル表現に変換するためのアナログ／ディジタル変換器１０５を備える。結果のディジタル信号は、整合（ｍａｔｃｈｅｄ）フィルタ１１０に提供される。
【００２２】
フィルタリングされた信号は、タップ付遅延線１１５に提供され、タップ付遅延線はさらに、セル・サーチ・システム１２０と、サーチャ１２５と、１つまたは複数のフィンガ１３０Ａ〜１３０Ｎとに信号を供給する。タップ付遅延線１１５は、マルチパス信号の様々なサンプルがそれを介して提供され得る複数のタップを含んでいる。各タップは、受信マルチパス信号の異なる遅延バージョンに関するサンプルを提供することができる。
【００２３】
セル・サーチ・システム１２０に提供される信号は、タイミング情報を含んでいる。特に、信号は、合成同期チャネル（ＳＣＨ）と、共通パイロット・チャネル（ＣＰＩＣＨ）とを含み、セル・サーチ・システム１２０が、提供された信号からタイミング情報を決定することを可能にする。セル・サーチ・システム１２０は、２段階のセル・サーチ動作を実行する。具体的には、スロット同期が、プライマリＳＣＨを使用して実行され、フレーム同期およびスクランブル符号グループ決定が、セカンダリＳＣＨを使用して実行される。言及されたように、セル・サーチ・システム１２０は、スクランブル符号決定の第３のステージを実行する必要はない。従って、そのようなハードウェアは、セル・サーチ・システム１２０から排除されることができ、それによって、サイズおよび電力消費を減少させる。
【００２４】
セカンダリＳＣＨが獲得されると、セル・サーチ・システム１２０は、非活動化されるか、または電源ダウンされる。例えば、セル・サーチ・システム１２０は、スタンバイ・モードに置かれる。その後、スタンバイまたは低電力モードになり得るサーチャ１２５が、活動化または付勢される。付勢されると、サーチャ１２５は、第３のステージのスクランブル符号決定を実行する。セル・サーチ・システム１２０およびサーチャ１２５は、１つまたは複数の集積回路（ＩＣ）、ＡＳＩＣ、プロセッサ、コントローラ、ディスクリート構成要素、またはそれらの任意の組み合わせとして実施されることができる。
【００２５】
プロセッサ・インタフェース１５０を介した受信機１００の様々な構成要素との間の通信を容易にするため、プロセッサ（図示されず）が含めることができる。従って、セル・サーチ・システム１２０によって決定されたスクランブル符号グループを使用するサーチャ１２５が、使用される特定のスクランブル符号を同定するために使用されることができる。サーチャ１２５が使用可能になると、サーチャは、共通パイロット・チャネル（ＣＰＩＣＨ）信号を、セル・サーチ・システム１２０によって決定されたスクランブル符号グループ内の８つのスクランブル符号の各々に対してサーチし、または相関させる。
【００２６】
セル・サーチ・システム１２０はすでに、スロットおよびフレーム同期を達成しているので、サーチャ１２５は、サーチャ空間の先頭における少数のスクランブル符号オフセット（例えば、オフセット０からオフセットＭまで）に対して相関をとる必要があるだけである。ユニバーサル移動体通信システム（ＵＭＴＳ）規格では、与えられたスクランブル符号グループ内には８つのスクランブル符号が存在する。８つのサーチの各々の最高の相関値が同定され、その値が保存される。同様の機能は通常のサーチャ動作中にも実行されるので、サーチャ１２５に追加のハードウェアは必要とされないことを理解されたい。その後、無線送信機によって使用されるスクランブル符号は、最高の相関ピークに対応する符号として同定される。後者は、例示的には、サーチャ１２５のメモリ（図示されず）にアクセスするプロセッサ１５０によって実行される。
【００２７】
スクランブル符号生成器１３５によって実行されるスクランブル符号生成は、様々な異なる技法の何れかを使用して実行される。一実施形態では、８つのスクランブル符号を、同時に（ｏｎ  ｔｈｅ  ｆｌｙ）に生成することができる。すなわち、スクランブル符号生成器１３５は、必要に応じて、相関で使用するために、各スクランブル符号を動的に生成することができる。例えば、当技術分野で知られているように、スクランブル符号生成器は、スクランブル符号を生成するために、スクランブル符号当たり１つの、ハードウェア実装された線形フィードバック・シフト・レジスタ（ＬＦＳＲ：Ｌｉｎｅａｒ  Ｆｅｅｄｂａｃｋ  Ｓｈｉｆｔ  Ｒｅｇｉｓｔｅｒ）を利用する。ＬＦＳＲは、各チップ用に生成された新しいスクランブル符号チップ値を用いて、スクランブル符号を動的または「同時（オン・ザ・フライ）」に生成する。（スクランブル符号は、ＵＭＴＳフレーム（３８４００チップ）をカバーし、３８４００個のチップ値を含む）。
【００２８】
別の実施形態では、１つもしくは複数の、または８つすべてのスクランブル符号が、第３のステージの前に生成されることができる。例えば、事前生成スクランブル符号は、プロセッサによってメモリ内に保存されることができる。従って、スクランブル符号生成器１３５は、スクランブル符号の３８４００個のチップ値を保存するための随伴論理回路を有するメモリなど、メモリまたはメモリ・ブロックとして実装されることができる。（各スクランブル符号チップ値が、同相（Ｉ）および直交（Ｑ）成分をさらに含むことに留意されたい）。特に、８つすべてのスクランブル符号がスクランブル符号メモリ内に保存される場合、受信機は、例えば、各基地局が異なるスクランブル符号を使用して通信する、いわゆる「ソフト・ハンドオフ（ｓｏｆｔ  ｈａｎｄｏｆｆ）」中には、複数の基地局と後で通信することが可能である。
【００２９】
スクランブル符号が決定されると、サーチャ１２５は、受信マルチパス信号内の様々なパスのプロフィールを獲得し、ロケーションを同定するために、マルチパス信号をスクランブル符号に対して相関させる以前のタスクに戻る。その後、フィンガ１３０Ａ〜１３０Ｎの各々が、サーチャ１２５によって決定された、マルチパス信号の異なるパスに割り当てられる。
【００３０】
当技術分野で知られるように、フィンガ１３０Ａ〜１３０Ｎは、拡散符号生成器１４０によって提供された拡散符号を使用して、様々なパスを処理する。最大比合成器（ＭＲＣＭａｘｉｍａｌ  Ｒａｔｉｏ  Ｃｏｍｂｉｎｅｒ）１４５は、共通パイロット・チャネル（ＣＰＩＣＨ）信号を使用して、各フィンガ１３０Ａ〜１３０Ｎからの個々のマルチパス信号を位相的に整列させる。最大比合成器１４５は、プロセッサ・インタフェース１５０に提供される構成的合成信号（ｃｏｎｓｔｒｕｃｔｉｖｅｌｙ  ｃｏｍｂｉｎｅｄ  ｓｉｇｎａｌ）を生成する。
【００３１】
タップ付遅延線１１５のタップが各々、遅延マルチパス信号の異なるバージョンを提供するので、遅延ハードウェアは不要であることを理解されたい。言い換えると、タップ付遅延線１１５の特定のタップから提供されるマルチパス信号の各異なるバージョンは、その他のタップから提供されるその他のバージョンと時間的に整列させられる。そのため、遅延ハードウェアが、フィンガ１３０Ａ〜１３０Ｎの出力と最大比合成器（ＭＲＣ）１４５の間に組み込まれる必要はない。
【００３２】
図２は、本発明の原理によるスクランブル符号を決定するための、受信機で使用する方法２００を示すフローチャートである。この方法は、例示的には、プライマリＳＣＨおよびセカンダリＳＣＨ同期が、例えば、図１のセル・サーチ・システム１２０によって実行される、ステップ２０５で開始する。従って、スクランブル符号グループは、ステップ２０５から同定される。ステップ２０５の後、セル・サーチ・システムはもはや必要とされないので、電力消費をさらに低減するために、セル・サーチ・システムは、電源ダウンされる。
【００３３】
ステップ２１０で、本発明の原理によれば、同定されたスクランブル符号グループからのスクランブル符号の１つを使用して、サーチャが動作させられる。サーチャは、０から何らかの値Ｍまでのオフセットの短いウィンドウにわたって動作させられる。スロットおよびフレーム同期はすでに（ステップ２０５で）達成されているので、サーチャは、スクランブル符号オフセットの小さなウィンドウに対して相関をとる必要があるだけである。例えば、セル・サーチが正確に同期した（すなわち、正しいスクランブル符号グループが同定された）場合、相関は、いくつかのスクランブル符号オフセット（Ｍ＝４）を含む必要があるだけである。それ以外の場合、ピークが見つかることを保証するため、ウィンドウは、数チップになるように設定される。例示的には、必要とされるまでサーチャが非活動である場合、サーチャは、ステップ２１０の前に活動化される。
【００３４】
ステップ２１５で、ステップ２１０からの、０からＭまでのオフセットのウィンドウ内で見つけられた最大相関値が、保存される。例示的には、振幅に関する最大相関値が保存されるように、相関は振幅に関して比較される。ステップ２２０で、同定されたスクランブル符号グループのうちの８つすべてのスクランブル符号がサーチされたかどうかに関して、決定が下される。スクランブル符号のすべてが処理された場合、方法２００はステップ２２５に進む。処理されていない場合、同定されたスクランブル符号グループのうちの次のスクランブル符号についてサーチャが動作させられるように、方法２００はステップ２１０にループバックする。ステップ２１０、２１５、２２０は、同定されたスクランブル符号グループのうちのすべてのスクランブル符号が処理されるまで、繰り返される。
【００３５】
ステップ２２５で、同定されたスクランブル符号グループのうちの８つのスクランブル符号の処理からの、８つの保存された相関ピークが評価される。最大相関ピークが選択され、８つの相関ピークのうちの最大に対応するスクランブル符号が、無線送信機によって使用されるスクランブル符号として同定される。
【００３６】
スクランブル符号が決定されると、マルチパス信号の様々なパスが、上で説明されたように処理される。より詳細には、パスは、抽出され、デローテート（ｄｅｒｏｔａｔｅ）され、その後、合算される。
【００３７】
上の記載は、本発明の原理を説明したに過ぎず、従って、本明細書では明示的に説明されていないが、本発明の原理を実施し、本発明の主旨および範囲内ある多くの代替構成を、当業者であれば考案できることが理解されよう。例えば、別個の機能要素という文脈で説明されたが、これらの機能要素は、１つまたは複数の集積回路（ＩＣ）上および／または１つまたは複数のストアド・プログラム制御プロセッサ（例えば、マイクロプロセッサまたはディジタル信号プロセッサ（ＤＳＰ））内で実施される。同様に、ＵＭＴＳベースのシステムという文脈で説明されたが、本発明の概念は、その他の通信システムに適用可能である。従って、多くの変更が、例示的な実施形態に施されることができ、その他の構成が、特許請求の範囲によって確定される本発明の主旨および範囲から逸脱することなく考案され得ることを理解されたい。
【図面の簡単な説明】
【００３８】
【図１】本明細書で開示される本発明の構成による受信機の一実施形態を示す概略図である。
【図２】本発明の別の実施形態によるスクランブル符号を決定する方法を示すフローチャートである。
【図１】
2008527913.tif 000003
【図２】
2008527913.tif 000004
【国際調査報告】
2008527913.tif 000005
2008527913.tif 000006